(57)【特許請求の範囲】
【請求項１】
バッテリーに設けられたバッテリーポストを把持するバッテリー端子と、
前記バッテリー端子を介して前記バッテリーに固定されたユニット本体と、
前記バッテリーに固定されたプロテクターと、を有し、
前記ユニット本体は、中心軸が前記バッテリーポストの中心軸と平行になるように配置される筒状のユニット本体受部を具備し、
前記プロテクターは、前記バッテリーポストの中心軸と垂直になるように配置されるプロテクター基板と、前記プロテクター基板の一方の面に立設され、前記ユニット本体受部に侵入するプロテクター柱部と、前記プロテクター基板の他方の面に立設され、前記バッテリーに形成されたバッテリー嵌合穴部に嵌合するプロテクター嵌合ピン部と、前記プロテクター基板に接続されたプロテクターフレームと、前記プロテクターフレームにヒンジ部を介して回動可能に設けられたプロテクター蓋部とを具備し、
前記ユニット本体受部に前記プロテクター柱部が侵入した状態で、前記ユニット本体受部の端面と前記プロテクター基板の一方の面とが当接し、前記ユニット本体受部と前記プロテクター柱部との間には前記プロテクター基板の一方の面に平行な方向に遊隙が形成され、前記ユニット本体受部および前記プロテクター柱部は、回動した前記プロテクター蓋部によって覆われることを特徴とするヒューズユニット。
【請求項２】
前記プロテクターフレームは、前記プロテクター基板寄りのプロテクター内側板と、前記プロテクター内側板に対して略平行に配置されたプロテクター外側板と、前記プロテクター内側板と前記プロテクター外側板とを連結するプロテクター底板とを具備し、
前記プロテクター蓋部は、前記プロテクター外側板に前記ヒンジ部を介して回動可能に設置され、
回動した前記プロテクター蓋部と前記プロテクターフレームとによって周囲が包囲され、両端が開口した空間である電線案内路が形成されることを特徴とする請求項１記載のヒューズユニット。
【請求項３】
前記プロテクター基板に、前記プロテクター柱部に対向したプロテクター仕切板が立設され、
前記プロテクター蓋部に、ロック機構を形成するプロテクター蓋部ロック爪またはプロテクター蓋部ロック溝が設けられ、
前記プロテクター仕切板に、前記プロテクター蓋部ロック爪または前記プロテクター蓋部ロック溝に係止可能なプロテクター仕切板ロック溝またはプロテクター仕切板ロック爪が設けられていることを特徴とする請求項１または２記載のヒューズユニット。
【請求項４】
前記プロテクター柱部は、断面十字状の第１プロテクター柱部と断面Ｃ字状の第２プロテクター柱部とからなり、
前記ユニット本体受部は、前記第１プロテクター柱部が侵入可能な断面十字状の内郭を具備する第１ユニット本体受部と、前記第２プロテクター柱部が侵入可能な断面円形または断面矩形の内郭を具備する第２ユニット本体受部とからなり、
前記プロテクター蓋部は、回動した際、前記第１プロテクター柱部が侵入した状態の前記第１ユニット本体受部を覆う第１プロテクター蓋部と、前記第２プロテクター柱部が侵入した状態の前記第２ユニット本体受部を覆う第２プロテクター蓋部と、からなることを特徴とする請求項１〜３の何れか一項に記載のヒューズユニット。
【発明の詳細な説明】
【技術分野】
【０００１】
本発明はヒューズユニット、特に、バッテリーに取り付けられるヒューズユニットに関する。
【背景技術】
【０００２】
従来、ヒューズユニットは、バッテリーポストが一段低い凹部に設けられているバッテリーに設置されたとき、ヒューズ部がバッテリーの凹部内に配置されるものの、凹部には十分なスペースがないため、ヒューズユニットの一部がバッテリーの側面から突出していた。
このため、バッテリーの側面からの突出量を減らす目的で、バッテリーの上面よりも上側でバッテリーの側面よりも内側に、外部接続端子とヒューズ部とを配置した発明が開示されている（例えば、特許文献１参照）。
【先行技術文献】
【特許文献】
【０００３】
【特許文献１】特開２０１３−２０８１１号公報（第４頁、図９）
【発明の概要】
【発明が解決しようとする課題】
【０００４】
特許文献１に開示された発明は、第１外部接続端子とヒューズ部とがバッテリーの上面よりも上側でバッテリーの側面よりも内側に配置されるため、ヒューズユニットの一部のバッテリーの側面からの突出量を極力少なくすることができると共に、ヒューズユニットの形状を大幅に変更することなく、外部接続端子とヒューズ部との数を増やすことができるという顕著な効果を奏するものである。
しかしながら、特許文献１に開示された発明には、以下のような課題があった。
（ａ）ヒューズユニットが１本のバッテリーポストに１個のバッテリー端子によって固定されるため、バッテリーの表面に対して水平に組み付けることが困難で、垂直面（バッテリーポストの軸心を含む仮想面）内で傾斜した状態で組み付けられるおそれがあった。
（ｂ）さらに、走行時の振動負荷をバッテリーポストの１箇所において支えていた。
（ｃ）さらに、第２外部接続端子はバッテリーの凹部に配置されるため、第２外部接続端子に接続された電線と第１外部接続端子に接続された電線とを同じ方向に引き出すことが困難であった。
【０００５】
本発明は、このような状況に鑑みてなされたものであり、第１の目的は、バッテリーの表面に対して水平に組み付け可能なヒューズユニットを提供することにあり、第２の目的は、複数の電線を同一方向に引き出し可能なヒューズユニットを提供することにある。
【課題を解決するための手段】
【０００６】
本発明に係るヒューズユニットは、バッテリーに設けられたバッテリーポストを把持するバッテリー端子と、前記バッテリー端子を介して前記バッテリーに固定されたユニット本体と、前記バッテリーに固定されたプロテクターと、を有し、
前記ユニット本体は、中心軸が前記バッテリーポストの中心軸と平行になるように配置される筒状のユニット本体受部を具備し、
前記プロテクターは、前記バッテリーポストの中心軸と垂直になるように配置されるプロテクター基板と、前記プロテクター基板の一方の面に立設され、前記ユニット本体受部に侵入するプロテクター柱部と、前記プロテクター基板の他方の面に立設され、前記バッテリーに形成されたバッテリー嵌合穴部に嵌合するプロテクター嵌合ピン部と、前記プロテクター基板に接続されたプロテクターフレームと、前記プロテクターフレームにヒンジ部を介して回動可能に設けられたプロテクター蓋部とを具備し、
前記ユニット本体受部に前記プロテクター柱部が侵入した状態で、前記ユニット本体受部の端面と前記プロテクター基板の一方の面とが当接し、前記ユニット本体受部と前記プロテクター柱部との間には前記プロテクター基板の一方の面に平行な方向に遊隙が形成され、前記ユニット本体受部および前記プロテクター柱部は、回動した前記プロテクター蓋部によって覆われることを特徴とする。
【０００７】
また、本発明に係るヒューズユニットは、前記プロテクターフレームは、前記プロテクター基板寄りのプロテクター内側板と、前記プロテクター内側板に対して略平行に配置されたプロテクター外側板と、前記プロテクター内側板と前記プロテクター外側板とを連結するプロテクター底板とを具備し、
前記プロテクター蓋部は、前記プロテクター外側板に前記ヒンジ部を介して回動可能に設置され、
回動した前記プロテクター蓋部と前記プロテクターフレームとによって周囲が包囲され、両端が開口した空間である電線案内路が形成されることを特徴とする。
【０００８】
さらに、本発明に係るヒューズユニットは、前記プロテクター基板に、前記プロテクター柱部に対向したプロテクター仕切板が立設され、
前記プロテクター蓋部に、ロック機構を形成するプロテクター蓋部ロック爪またはプロテクター蓋部ロック溝が設けられ、
前記プロテクター仕切板に、前記プロテクター蓋部ロック爪または前記プロテクター蓋部ロック溝に係止可能なプロテクター仕切板ロック溝またはプロテクター仕切板ロック爪が設けられていることを特徴とする。
【０００９】
さらに、本発明に係るヒューズユニットは、前記プロテクター柱部は、断面十字状の第１プロテクター柱部と断面Ｃ字状の第２プロテクター柱部とからなり、
前記ユニット本体受部は、前記第１プロテクター柱部が侵入可能な断面十字状の内郭を具備する第１ユニット本体受部と、前記第２プロテクター柱部が侵入可能な断面円形または断面矩形の内郭を具備する第２ユニット本体受部とからなり、
前記プロテクター蓋部は、回動した際、前記第１プロテクター柱部が侵入した状態の前記第１ユニット本体受部を覆う第１プロテクター蓋部と、前記第２プロテクター柱部が侵入した状態の前記第２ユニット本体受部を覆う第２プロテクター蓋部と、からなることを特徴とする。
【発明の効果】
【００１０】
（ａ）本発明に係るヒューズユニットは、ユニット本体とプロテクターとがそれぞれ別個にバッテリーに固定され、前記ユニット本体受部の端面と前記プロテクター基板の一方の面とが当接しているから、ユニット本体はバッテリーの表面に対して水平に組み付けることが容易になり、バッテリーポストに対して傾斜した状態で組み付けられるおそれが解消する。
（ｂ）さらに、走行時の振動負荷を、バッテリーポストとプロテクター嵌合ピン部との複数箇所において支えることができる。
（ｃ）さらに、プロテクターフレームが電線案内路を形成するから、複数の電線を同じ方向に引き出すことができる。
【図面の簡単な説明】
【００１１】
【図１】本発明の実施の形態１に係るヒューズユニットを説明する全体を示す斜視図である。
【図２】本発明の実施の形態１に係るヒューズユニットを説明するものであって、組み付けられるバッテリーを示す斜視図である。
【図３】本発明の実施の形態１に係るヒューズユニットを説明するものであって、バッテリーに組み付けられた状態を示す斜視図である。
【図４】本発明の実施の形態１に係るヒューズユニットを説明する一部（ユニット本体）を示す斜視図である。
【図５】本発明の実施の形態１に係るヒューズユニットを説明するものであって、（ａ）は一部（プロテクター）を示す斜視図、（ｂ）は一部（プロテクター）の一部を拡大して示す斜視図である。
【図６】本発明の実施の形態１に係るヒューズユニットを説明するものであって、組み付け手順の第１ステップを示す斜視図である。
【図７】本発明の実施の形態１に係るヒューズユニットを説明するものであって、（ａ）は組み付け手順の第２ステップを示す斜視図、（ｂ）は（ａ）の一部を拡大して示す斜視図である。
【図８】本発明の実施の形態１に係るヒューズユニットを説明するものであって、（ａ）は組み付け手順の第３ステップを示す斜視図、（ｂ）は（ａ）の一部を拡大して示す斜視図である。
【図９】本発明の実施の形態１に係るヒューズユニットを説明するものであって、組み付け手順の第４ステップを示す平面図である。
【図１０】本発明の実施の形態１に係るヒューズユニットを説明するものであって、（ａ）は図９におけるＡ−Ａ断面を拡大して示す断面図、（ｂ）は図９におけるＢ−Ｂ断面を拡大して示す断面図である。
【発明を実施するための形態】
【００１２】
以下、発明を実施するための形態（以下、「実施の形態」という）を、図面を参照しつつ説明する。なお、各図は模式的に描かれたものであって、本発明は図示された形態（部位の形状や個数等）に限定されるものではない。また、図面の煩雑さを避けるため、一部の部材あるいは一部の符号については記載を省略する場合がある。
【００１３】
［実施の形態１］
図１〜図５は本発明の実施の形態１に係るヒューズユニットを説明するものであって、図１は全体を示す斜視図、図２は組み付けられるバッテリーを示す斜視図、図３はバッテリーに組み付けられた状態を示す斜視図、図４の（ａ）は一部（ユニット本体）を示す斜視図、図５の（ａ）は一部（プロテクター）を示す斜視図、図５の（ｂ）は一部（プロテクター）の一部を拡大して示す斜視図である。
【００１４】
（ヒューズユニット）
図１において、ヒューズユニット１００は、バッテリー端子１０と、ユニット本体２０と、プロテクター３０とを有している。以下、それぞれについて詳細に説明する。
【００１５】
（バッテリー）
図２において、ヒューズユニット１００が組み付けられるバッテリー４０は、所定の面（以下「バッテリー凹面」と称す）４２に垂直なバッテリーポスト４１が立設され、また、バッテリー凹面４２に平行で一段高くなった面（以下「バッテリー上面」と称す」）４４に、バッテリー上面４４に垂直な第１バッテリー嵌合穴部４３ａおよび第２バッテリー嵌合穴部４３ｂが形成されている。
【００１６】
（組み付け状態）
図３において、ヒューズユニット１００はバッテリー４０に組み付けられている。このとき、バッテリーポスト４１にバッテリー端子１０が固定されている。
すなわち、バッテリー端子１０のポスト把持部１３がバッテリーポスト４１を把持している。また、バッテリー端子１０に設けられた端子スタッドボルト１１に端子連結ナット２８が螺合して、バッテリー端子１０とユニット本体２０とが連結されている（図８参照）。
また、ユニット本体２０に設けられた第１スタッドボルト２９ａに第１連結ナット２８ａが螺合して、第１電線９０ａに固定された第１電線端子９１ａが第１スタッドボルト２９ａに連結されている（図８参照）。また、第２電線９０ｂが、第２スタッドボルト２９ｂに第２連結ナット２８ｂによって固定されている。
なお、第１電線９０ａは後記する直上ＦＬヒューズ（ヒューズブルリンクヒューズ）２７を経由して、図示しないスタータモータやリレーブロックに接続され、第２電線９０ｂは図示しないヒータに接続されている。
さらに、プロテクター３０は、バッテリー上面４４に設けられた第１バッテリー嵌合穴部４３ａおよび第２バッテリー嵌合穴部４３ｂ（図２参照）においてバッテリー４０に固定されている（図１０参照）。
以下、各部材について説明し、その後、組み立て手順について説明する。
【００１７】
（ユニット本体）
図４において、ユニット本体２０は、バッテリー凹面４２（図２参照）に対向して配置され、通電性材料によって形成されたバスパーが一体成形されたユニット本体基板（以下「本体基板」と称す）２３と、本体基板２３に形成され、バッテリー端子１０と電気的に繋がるための給電用貫通孔２１と、プロテクター３０の一部（後記する第１柱部３２ａおよび第２柱部３２ｂ）を遊隙（クリアランス）を空けて侵入させる第１ユニット本体受部（以下「第１本体受部」と称す）２２ａおよび第２ユニット本体受部（以下「第２本体受部」と称す）２２ｂとを具備している。
また、本体基板２３を挟んで、第１スタッドボルト２９ａが立設された第１外部端子用接続部２４ａと第２スタッドボルト２９ｂが立設された第２外部端子用接続部２４ｂとがそれぞれ配置され、本体基板２３には直上ＦＬヒューズ（ヒューズブルリンクヒューズ）２７が配置されている。
そして、第２外部端子用接続部２４ｂには、本体基板２３に対して略垂直な本体側板２５が設けられ、本体側板２５の本体基板２３とは反対の面に第１本体受部２２ａおよび第２本体受部２２ｂが設けられている。
【００１８】
（ユニット本体の第１本体受部および第２本体受部）
第１本体受部２２ａは断面十字状の内郭を具備し、外郭が断面矩形状の筒体である。第２本体受部２２ｂは内郭および外郭が何れも矩形状の筒体（角管）である。そして、第１本体受部２２ａの内郭の中心軸である第１本体中心軸２２ｘおよび第２本体受部２２ｂの内郭の中心軸である第２本体中心軸２２ｙは、何れも給電用貫通孔２１の中心軸である貫通孔中心軸２１ｚに対して平行である。
そして、第１本体受部２２ａの一方の端面（以下「第１本体受面」と称す）２２ｃは第１本体中心軸２２ｘに垂直で、第２本体受部２２ｂの一方に端面（以下「第２本体受面」と称す）２２ｄは第２本体中心軸２２ｙに垂直である。また、第１本体受部２２ａの内郭は、第１本体中心軸２２ｘと第２本体中心軸２２ｙとを結ぶ仮想面に対して、平行および垂直な面を具備している。
なお、第１本体受部２２ａおよび第２本体受部２２ｂは、後記するプロテクター３０の部位（第１柱部３２ａおよび第２柱部３２ｂ）が遊隙（クリアランス）を空けて侵入するものであり、内郭形状は前記断面形状に限定されるものではない（これについては別途詳細に説明する）。
【００１９】
（ユニット本体の給電用貫通孔）
そして、バッテリー端子１０が第１外部端子用接続部２４ａと第２外部端子用接続部２４ｂとの間に配置された際、バッテリー端子１０に設けられた端子スタッドボルト１１は、本体基板２３に設けられた給電用貫通孔２１を貫通する。そして、端子スタッドボルト１１に端子連結ナット２８を螺合することによって、本体基板２３はバッテリー端子１０に密着して電気的に連結される（図３参照）。このとき、端子連結ナット２８は、給電用貫通孔２１の周囲に設けられた本体座部２６に侵入する。
【００２０】
（プロテクター）
図５において、プロテクター３０は、バッテリー上面４４（図２参照）に対向して配置される面を具備するプロテクター基板３１と、プロテクター基板３１の一方に面に立設され、第１本体受部２２ａおよび第２本体受部２２ｂに遊隙（クリアランス）を空けて侵入する第１プロテクター柱部（以下「第１柱部」と称す）３２ａおよび第２プロテクター柱部（以下「第２柱部」と称す）３２ｂとを具備している。また、プロテクター基板３１の他方の面（以下「プロテクター基板設置面」と称す）３１ｃには、第１プロテクター嵌合ピン部（以下「第１嵌合ピン部」と称す）３３ａおよび第２プロテクター嵌合ピン部（以下「第２嵌合ピン部」と称す）３３ｂが立設されている。
以下、プロテクター３０が具備する部位について詳細に説明する。
【００２１】
（プロテクターの第１柱部および第２柱部）
第１柱部３２ａは断面十字状の柱体であって、一方、第２柱部３２ｂは断面Ｃ字状の一部が開口した管体である。
そして、第１柱部３２ａの中心軸である第１柱部中心軸３２ｘおよび第２柱部３２ｂの中心軸である第２柱部中心軸３２ｙは、何れもプロテクター基板３１に対して垂直であって、第１柱部中心軸３２ｘと第２柱部中心軸３２ｙとの間隔は、ユニット本体２０における第１本体中心軸２２ｘと第２本体中心軸２２ｙとの間隔に略同じである。また、第１柱部３２ａの外郭は、第１柱部中心軸３２ｘと第２柱部中心軸３２ｙとを含む仮想面に対して、平行および垂直な面を具備している。
なお、本発明は第１柱部３２ａおよび第２柱部３２ｂの両方を具備するものに限定するものではなく、何れか一方であってもよい。また、第１柱部３２ａおよび第２柱部３２ｂの断面形状は、それぞれ前記断面形状にすることによって、最小容量で所望の強度を確保することができるものであるが、本発明は前記断面形状に限定するものではない。
【００２２】
（プロテクターの第１嵌合ピン部および第２嵌合ピン部）
第１嵌合ピン部３３ａおよび第２嵌合ピン部３３ｂは何れも円柱であって、第１嵌合ピン部３３ａの中心軸である第１嵌合ピン部中心軸３３ｘおよび第２嵌合ピン部３３ｂの中心軸である第２嵌合ピン部中心軸３３ｙは何れも、プロテクター基板３１に対して垂直である。そして、第１嵌合ピン部３３ａおよび第２嵌合ピン部３３ｂは、バッテリー上面４４に形成された第１バッテリー嵌合穴部４３ａおよび第２バッテリー嵌合穴部４３ｂ（図２参照）にそれぞれ圧入され、容易には抜け出し困難に固定されるものである。
【００２３】
（プロテクターフレーム）
また、プロテクター基板３１にはプロテクターフレーム３４が一体的に接続されている。
すなわち、プロテクターフレーム３４は、プロテクター基板３１寄りで、プロテクター基板３１に繋がっている略Ｌ字状のプロテクター内側板３４ｃと、プロテクター内側板３４ｃに対して略平行に配置された略Ｌ字状のプロテクター外側板３４ａと、プロテクター内側板３４ｃとプロテクター外側板３４ａを連結する略Ｌ字状のプロテクター底板３４ｂとを具備している。
【００２４】
（プロテクターの第１空間および第２空間）
さらに、プロテクター基板３１およびプロテクター内側板３４ｃに跨がって、第１プロテクター仕切板３４ｄ、第２プロテクター仕切板３４ｅ、第３プロテクター仕切板３４ｆが設けられている。
すなわち、プロテクター基板設置面３１ｃの反対側の面の一部（以下「第１空間底面３２ｃ」と称す）、プロテクター内側板３４ｃの一部および第１プロテクター仕切板３４ｄによって包囲され、２面が開口した略直方体状の空間（以下「第１プロテクター空間」と称す）３１ａが形成され、第１プロテクター空間３１ａ内に第１柱部３２ａは配置されている。
一方、プロテクター基板設置面３１ｃの反対側の面の一部（以下「第２空間底面３２ｄ」と称す）、プロテクター内側板３４ｃの一部、第２プロテクター仕切板３４ｅおよび第３プロテクター仕切板３４ｆによって包囲され、２面が開口した略直方体状の空間（以下「第２プロテクター空間」と称す）３１ｂが形成され、第２プロテクター空間３１ｂ内に第２柱部３２ｂは配置されている。
【００２５】
（プロテクター蓋部）
プロテクター外側板３４ａには、第１ヒンジ部３５ａを介して第１電線案内路蓋部３６ａが回動可能に設置され、第２ヒンジ部３５ｂを介して第２電線案内路蓋部３６ｂが回動可能に設置されている。第１電線案内路蓋部３６ａおよび第２電線案内路蓋部３６ｂは回動した際、後記する電線案内路５０を覆うものである。
そして、第１電線案内路蓋部３６ａには、回動した際、第１プロテクター空間３１ａの一方の開口部（第１空間底面３２ｃに対向する開口部）を覆う第１空間蓋部３７ａが設置されている。すなわち、第１柱部３２ａは第１空間蓋部３７ａと第１空間底面３２ｃとによって挟まれた状態になる。なお、第１柱部３２ａは第１空間蓋部３７ａに当接する場合と、隙間を空けて対向する場合とがある。
また、第２電線案内路蓋部３６ｂには、回動した際、第２プロテクター空間３１ｂの一方の開口部（第２空間底面３２ｄに対向する開口部）を覆う第２空間蓋部３７ｂが設置されている。すなわち、第２柱部３２ｂは第２空間蓋部３７ｂと第２空間底面３２ｄとによって挟まれた状態になる。なお、第２柱部３２ｂは第２空間蓋部３７ｂに当接する場合と、隙間を空けて対向する場合とがある。
なお、本発明は、第１電線案内路蓋部３６ａおよび第１空間蓋部３７ａをまとめて「第１プロテクター蓋部」と称し、第２電線案内路蓋部３６ｂおよび第２空間蓋部３７ｂをまとめて「第２プロテクター蓋部」と称し、さらに、第１プロテクター蓋部および第２プロテクター蓋部をまとめて「プロテクター蓋部」と称している。
【００２６】
（プロテクターロック）
さらに、第１空間蓋部３７ａにロック機構を形成する第１ロック溝（プロテクター蓋部ロック溝に相当する）３８ａが設けられ、第１プロテクター仕切板３４ｄに第１ロック溝３８ａに係止可能な第１ロック爪３９ａ（プロテクター仕切板ロック爪に相当する。図１０の（ａ）参照）が設けられている。このため、第１電線案内路蓋部３６ａが回動した際、第１ロック溝３８ａに第１ロック爪３９ａが係止し、第１電線案内路蓋部３６ａおよび第１空間蓋部３７ａは固定されることになる。
同様に、第２空間蓋部３７ｂにロック機構を形成する第２ロック溝（プロテクター蓋部ロック溝に相当する）３８ｂおよび第３ロック溝（プロテクター蓋部ロック溝に相当する）３８ｃが設けられ、第２プロテクター仕切板３４ｅに第２ロック溝３８ｂに係止可能な第２ロック爪（プロテクター仕切板ロック爪に相当する）３９ｂが設けられ、第３プロテクター仕切板３４ｆに第３ロック溝３８ｃに係止可能な第３ロック爪（プロテクター仕切板ロック爪に相当する。図示しない。）が設けられている。
このため、第２電線案内路蓋部３６ｂが回動した際、第２ロック溝３８ｂに第２ロック爪３９ｂが係止し、第３ロック溝３８ｃに第３ロック爪が係止し、第２電線案内路蓋部３６ｂおよび第２空間蓋部３７ｂは固定されることになる。
なお、本発明はロック機構を限定するものではなく、例えば、第１ロック溝３８ａを第１プロテクター仕切板３４ｄに代えてプロテクター内側板３４ｃに設けてもよく、あるいは、第１空間蓋部３７ａに第１ロック爪３９ａを設け、第１プロテクター仕切板３４ｄに第１ロック溝３８ａを設けてもよい。
【００２７】
（電線案内路）
そして、第１電線案内路蓋部３６ａおよび第２電線案内路蓋部３６ｂが回動した際、第１電線案内路蓋部３６ａ、第２電線案内路蓋部３６ｂ、プロテクター外側板３４ａ、プロテクター底板３４ｂおよびプロテクター内側板３４ｃによって周囲が包囲され（正確には周囲の一部が開口している）、両端が開口した空間（以下「電線案内路」と称す）５０が形成される。なお、電線案内路５０に沿って案内された第１電線９０ａ（図３参照）の中心軸９を二点鎖線にて模式的に示している。
なお、本発明はプロテクターフレーム３４の形状を限定するものではないから、所望の方向に開口した電線案内路５０を適宜設計することが可能である。
【００２８】
（組み付け手順）
次に、ヒューズユニット１００をバッテリー４０に組み付ける手順について説明する。
ヒューズユニット１００をバッテリー４０に組み付ける組み付け手順は、ユニット本体２０にバッテリー端子１０と第１電線９０ａおよび第２電線９０ｂとを接続する第１ステップと、ユニット本体２０とプロテクター３０とを突き合わせる第２ステップと、ユニット本体２０とプロテクター３０とを相互に移動可能に仮固定する第３ステップと、ユニット本体２０およびプロテクター３０をそれぞれバッテリー４０に固定する第４ステップとを有している。
なお、バッテリー４０に固定されているヒューズユニット１００には、バッテリーカバーが組み付けられるものであるが、バッテリーカバーにつての記載を省略する。以下、それぞれのステップについて詳細に説明する。
【００２９】
図６〜図１０は本発明の実施の形態１に係るヒューズユニットを説明するものであって、図６は組み付け手順の第１ステップを示す斜視図、図７の（ａ）は組み付け手順の第２ステップを示す斜視図、図７の（ｂ）は図７の（ａ）の一部を拡大して示す斜視図、図８の（ａ）は組み付け手順の第３ステップを示す斜視図、図８の（ｂ）は図８の（ａ）の一部を拡大して示す斜視図、図９は組み付け手順の第４ステップを示す平面図、図１０の（ａ）は図９におけるＡ−Ａ断面を拡大して示す断面図、図１０の（ｂ）は図９におけるＢ−Ｂ断面を拡大して示す断面図である。
【００３０】
（第１ステップ）
図６において、ユニット本体２０の第１外部端子用接続部２４ａと第２外部端子用接続部２４ｂとの間に、バッテリー端子１０を配置して、バッテリー端子１０に設けられた端子スタッドボルト１１を給電用貫通孔２１に挿入する。そして、端子スタッドボルト１１に端子連結ナット２８を螺合して、本体基板２３をバッテリー端子１０に密着させ、両者を電気的に接続している。
また、ユニット本体２０の第１スタッドボルト２９ａに第１電線９０ａ（図３参照）を接続する。すなわち、第１スタッドボルト２９ａに第１連結ナット２８ａを螺合することによって、第１電線９０ａに設けられた第１電線端子９１ａを第１スタッドボルト２９ａに固定する（図３参照）。このとき、第１電線９０ａの中心軸（一点鎖線にて模式的に示す）は矢印１で示す方向に引き出される。
また、同様に、第２電線９０ｂ（図３参照）を第２スタッドボルト２９ｂに接続する。
【００３１】
（第２ステップ）
図７において、ユニット本体２０の第１本体受部２２ａおよび第２本体受部２２ｂをそれぞれ、プロテクター３０の第１プロテクター空間３１ａおよび第２プロテクター空間３１ｂに配置して、第１本体受部２２ａおよび第２本体受部２２ｂにそれぞれ、第１柱部３２ａおよび第２柱部３２ｂを挿入する。
このとき、第１本体受部２２ａの内郭と第１柱部３２ａの外郭との間には、第１空間底面３２ｃに平行な方向にそれぞれ遊隙（クリアランス）がある。同様に、第２本体受部２２ｂの内郭と第２柱部３２ｂの外郭との間には、第２空間底面３２ｄに平行な方向にそれぞれ遊隙（クリアランス）がある。このため、かかる遊隙の範囲で、ユニット本体２０とプロテクター３０とは、プロテクター基板３１に対して略平行な方向で相対的に移動可能である。
また、第１電線９０ａ（図３参照）を、プロテクター外側板３４ａ、プロテクター底板３４ｂおよびプロテクター内側板３４ｃによって形成された略Ｌ字状の溝に押し込む。したがって、第１電線９０ａの一部は電線案内路５０（正確には、プロテクター底板３４ｂに対向した面が開口している）に沿った状態で、矢印２の方向に引き出される。
【００３２】
（第３ステップ）
図８において、第１電線案内路蓋部３６ａおよび第２電線案内路蓋部３６ｂをそれぞれ回動して、第１空間蓋部３７ａおよび第２空間蓋部３７ｂによって、第１プロテクター空間３１ａの一方の開口部および第２プロテクター空間３１ｂの一方の開口部を覆う。このとき、第１ロック溝３８ａ、第２ロック溝３８ｂおよび第３ロック溝３８ｃはそれぞれ、第１ロック爪３９ａ、第２ロック爪３９ｂおよび第３ロック爪に係止するから、第１空間蓋部３７ａおよび第２空間蓋部３７ｂはそれぞれ、第１空間底面３２ｃおよび第２空間底面３２ｄに対向した姿勢で固定される（図１０の（ａ）参照）。
すなわち、第１本体受部２２ａは、第１プロテクター空間３１ａ内をプロテクター基板３１に略平行な方向に移動可能で、第１空間蓋部３７ａと第１空間底面３２ｃとによってプロテクター基板３１に垂直な方向が拘束され（正確には、僅かに移動可能な場合と移動不可能な場合とがある）、第１プロテクター空間３１ａから離脱不可能に保持される（仮固定される）。
同様に、第２本体受部２２ｂは第２プロテクター空間３１ｂに離脱不可能に保持される（仮固定される）。
そして、第１電線９０ａ（図３参照）は、一部が電線案内路５０に収容された状態で、矢印２の方向に引き出される。
【００３３】
（第４ステップ）
図９および図１０において、プロテクター３０の第１嵌合ピン部３３ａおよび第２嵌合ピン部３３ｂをそれぞれ、第１バッテリー嵌合穴部４３ａおよび第２バッテリー嵌合穴部４３ｂ（図２参照）に圧入して、プロテクター基板設置面３１ｃをバッテリー上面４４に押し付けた状態で、プロテクター３０をバッテリー４０に固定する。
また、バッテリー端子１０をバッテリーポスト４１に固定する。これによって、ヒューズユニット１００はバッテリー４０に組み付けられる。このとき、第１本体受部２２ａの第１本体受面２２ｃは第１プロテクター空間３１ａの第１空間底面３２ｃを押し付け、第２本体受部２２ｂの第２本体受面２２ｄは第２プロテクター空間３１ｂの第２空間底面３２ｄを押し付けている。
すなわち、バッテリー端子１０において、端子基板１２（端子スタッドボルト１１が立設している）に設けられた断面Ｃ字状のポスト把持部１３に、バッテリーポスト４１を挿入して、ポスト把持部１３の開口端に設けられた一対の締付板１４に形成された図示しない貫通孔に締付ボルト１９を挿入して、締付ボルト１９に締付ナット１８を螺合することによって、締付板１４同士を近接させる。そうすると、ポスト把持部１３の内径は縮小され、ポスト把持部１３はバッテリーポスト４１を把持することになる。
このとき、端子スタッドボルト１１の端子スタッドボルト中心軸１１ｚおよびポスト把持部１３の把持部中心軸１３ｚは、何れも端子基板１２に対して垂直になっているから、ユニット本体２０の本体基板２３はバッテリー凹面４２に対して平行（バッテリーポスト４１に対して垂直）になる（図１０の（ｂ）参照）。
【００３４】
（作用効果）
（ａ）バッテリーポスト４１において固定されたユニット本体２０は、第１本体受面２２ｃおよび第２本体受面２２ｄがプロテクター３０の第１空間底面３２ｃおよび第２空間底面３２ｄをそれぞれ押し付け、また、プロテクター３０は、プロテクター基板設置面３１ｃがバッテリー上面４４に押し付けた状態で、第１バッテリー嵌合穴部４３ａおよび第２バッテリー嵌合穴部４３ｂにおいて固定されている。このため、ユニット本体２０はバッテリー凹面４２に対して平行に組み付けられ、バッテリーポスト４１に対して傾斜して組み付けられるおそれが解消する。
（ｂ）さらに、ヒューズユニット１００に作用する走行時の振動負荷を、バッテリーポスト４１、第１嵌合ピン部３３ａおよび第２嵌合ピン部３３ｂの３箇所において支えることができる。このとき、ユニット本体２０のバッテリー４０方向の変位（変形）は、プロテクター３０を介して間接的にバッテリー上面４４によって規制されている。
（ｃ）さらに、ヒューズユニット１００は、プロテクターフレーム３４が電線案内路５０を形成するから、第１電線９０ａを第２電線９０ｂと同じ方向に引き出すことができる。
【００３５】
以上、本発明を実施の形態をもとに説明した。この実施の形態は例示であり、それらの各構成要素及びその組合せにいろいろな変形例が可能なこと、またそうした変形例も本発明の範囲にあることは当業者に理解されるところである。
【産業上の利用可能性】
【００３６】
本発明は以上であるから、各種バッテリーに組み付けられるヒューズユニットとして広く利用することができる。
【符号の説明】
【００３７】
１  ：矢印（第１電線の引き出し方向）
２  ：矢印（第１電線の引き出し方向）
９  ：第１電線の中心軸
１０  ：バッテリー端子
１１  ：端子スタッドボルト
１１ｚ：端子スタッドボルト中心軸
１２  ：端子基板
１３  ：ポスト把持部
１３ｚ：把持部中心軸
１４  ：締付板
１８  ：締付ナット
１９  ：締付ボルト
２０  ：ユニット本体
２１  ：給電用貫通孔
２１ｚ：貫通孔中心軸
２２ａ：第１ユニット本体受部（第１本体受部）
２２ｂ：第２ユニット本体受部（第２本体受部）
２２ｃ：第１本体受面
２２ｄ：第２本体受面
２２ｘ：第１本体中心軸
２２ｙ：第２本体中心軸
２３  ：ユニット本体基板（本体基板）
２４ａ：第１外部端子用接続部
２４ｂ：第２外部端子用接続部
２５  ：本体側板
２６  ：本体座部
２７  ：ＦＬヒューズ（ヒューズブルリンクヒューズ）
２８  ：端子連結ナット
２８ａ：第１連結ナット
２８ｂ：第２連結ナット
２９ａ：第１スタッドボルト
２９ｂ：第２スタッドボルト
３０  ：プロテクター
３１  ：プロテクター基板
３１ａ：第１プロテクター空間
３１ｂ：第２プロテクター空間
３１ｃ：プロテクター基板設置面
３２ａ：第１プロテクター柱部（第１柱部）
３２ｂ：第２プロテクター柱部（第２柱部）
３２ｃ：第１空間底面
３２ｄ：第２空間底面
３２ｘ：第１柱部中心軸
３２ｙ：第２柱部中心軸
３３ａ：第１プロテクター嵌合ピン部（第１嵌合ピン部）
３３ｂ：第２プロテクター嵌合ピン部（第２嵌合ピン部）
３３ｘ：第１嵌合ピン部中心軸
３３ｙ：第２嵌合ピン部中心軸
３４  ：プロテクターフレーム
３４ａ：プロテクター外側板
３４ｂ：プロテクター底板
３４ｃ：プロテクター内側板
３４ｄ：第１プロテクター仕切板
３４ｅ：第２プロテクター仕切板
３４ｆ：第３プロテクター仕切板
３５ａ：第１ヒンジ部
３５ｂ：第２ヒンジ部
３６ａ：第１電線案内路蓋部
３６ｂ：第２電線案内路蓋部
３７ａ：第１空間蓋部
３７ｂ：第２空間蓋部
３８ａ：第１ロック溝
３８ｂ：第２ロック溝
３８ｃ：第３ロック溝
３９ａ：第１ロック爪
３９ｂ：第２ロック爪
４０  ：バッテリー
４１  ：バッテリーポスト
４２  ：バッテリー凹面
４３ａ：第１バッテリー嵌合穴部
４３ｂ：第２バッテリー嵌合穴部
４４  ：バッテリー上面
５０  ：電線案内路
９０ａ：第１電線
９０ｂ：第２電線
９１ａ：第１電線端子
１００：ヒューズユニット
【図１】
0006655443.tif 000002
【図２】
0006655443.tif 000003
【図３】
0006655443.tif 000004
【図４】
0006655443.tif 000005
【図５】
0006655443.tif 000006
【図６】
0006655443.tif 000007
【図７】
0006655443.tif 000008
【図８】
0006655443.tif 000009
【図９】
0006655443.tif 000010
【図１０】
0006655443.tif 000011